(57)【特許請求の範囲】
【請求項１】
端末側が符号化後の伝送フォーマット組合せインジケーターＴＦＣＩビットを調整し、上り専用物理制御チャネルＤＰＣＣＨのＴＦＣＩドメインを介して、調整後のＴＦＣＩビットを基地局側に送信し、
前記端末側が、調整後のＴＦＣＩビットを前記基地局側に送信した後、下り専用物理チャネルＤＰＣＨの復号化結果を前記上りＤＰＣＣＨの空きのＴＦＣＩドメインを介して前記基地局側にフィードバックするステップを備える復号化早期停止のフィードバック方法。
【請求項２】
前記端末側が符号化後の前記ＴＦＣＩビットを調整することが、
前記端末側がＴＦＣＩの初期ビットに減少操作を実行すること、及び／又は、
前記端末側が高ビットレート符号化方式でＴＦＣＩの初期ビットに符号化を行うことを備える請求項１に記載の方法。
【請求項３】
上りＤＰＣＣＨのＴＦＣＩドメインを介して調整後のＴＦＣＩビットを前記基地局側に送信する前に、
前記端末側が前記ＴＦＣＩドメインの前記上りＤＰＣＣＨで占める比例を増加させることをさらに備える請求項１に記載の方法。
【請求項４】
前記端末側が、前記上りＤＰＣＣＨの前記ＴＦＣＩドメインの送信電力を増加させることをさらに備える請求項１に記載の方法。
【請求項５】
基地局側が、端末側から送信された、前記端末側がビット減少操作を行った後に得られたＴＦＣＩビットである符号化後の伝送フォーマット組合せインジケーターＴＦＣＩビットを受信し、
前記基地局側が、受信した前記ＴＦＣＩビットに復号化操作を行い、該復号化操作の復号化結果に基づいて、上り専用物理データチャネルＤＰＤＣＨに復号化操作を行って、該復号化操作の復号化結果を前記端末側にフィードバックするステップを備える復号化早期停止のフィードバック方法。
【請求項６】
前記端末側が前記ビット減少操作を実行することが、
前記端末側が、前記ＴＦＣＩの初期ビットに前記ビット減少操作を実行すること、及び／又は、
前記端末側が、高ビットレート符号化方式で前記ＴＦＣＩの初期ビットに符号化を行うことを備える請求項５に記載の方法。
【請求項７】
端末側に適用される装置であって、
符号化後の伝送フォーマット組合せインジケーターＴＦＣＩビットを調整し、上り専用物理制御チャネルＤＰＣＣＨのＴＦＣＩドメインを介して、調整後のＴＦＣＩビットを基地局側に送信するように構成された調整モジュールと、
調整後のＴＦＣＩビットを前記基地局側に送信した後、下り専用物理チャネルＤＰＣＨの復号化結果を前記上りＤＰＣＣＨの空きのＴＦＣＩドメインを介して、前記基地局側にフィードバックするように構成されたフィードバックモジュールと、を備える復号化早期停止のフィードバック装置。
【請求項８】
前記調整モジュールが、
ＴＦＣＩの初期ビットに減少操作を実行するように構成された減少ユニット、及び／又は、
前記端末側が高ビットレート符号化方式でＴＦＣＩの初期ビットに符号化を行うように構成された符号化ユニットを備える請求項７に記載の装置。
【請求項９】
基地局側に適用される装置であって、
端末側から送信された、前記端末側がビット減少操作を行った後に得られたＴＦＣＩビットである符号化後の伝送フォーマット組合せインジケーターＴＦＣＩビットを受信するように構成された受信モジュールと、
受信した前記ＴＦＣＩビットに復号化操作を行うように構成された復号化操作モジュールと、
前記復号化操作の復号化結果に基づいて、上り専用物理データチャネルＤＰＤＣＨに復号化操作を行って、該復号化操作の復号化結果を前記端末側にフィードバックするように構成された復号化フィードバックモジュールと、を備える復号化早期停止のフィードバック装置。
【請求項１０】
請求項７又は８に記載の端末側に適用される復号化早期停止のフィードバック装置と、請求項９に記載の基地局側に適用される復号化早期停止のフィードバック装置と、を備える復号化早期停止のフィードバックシステム。
【発明の詳細な説明】
【技術分野】
【０００１】
本発明は、移動通信分野に関し、具体的に、復号化早期停止のフィードバック方法、装置及びシステムに関する。
【背景技術】
【０００２】
グローバル移動通信システム（Ｇｌｏｂａｌ  Ｓｙｓｔｅｍ  ｏｆ  Ｍｏｂｉｌｅ  ｃｏｍｍｕｎｉｃａｔｉｏｎ、以下ＧＳＭと略称）等移動ネットワークは過去２０年間の発展及び普及によって、グローバル移動音声通信サービスも大きな成功を収めた。個人の音声サービスの発展に伴って、無線データネットワークも汎用パケット無線サービス技術（Ｇｅｎｅｒａｌ  Ｐａｃｋｅｔ  Ｒａｄｉｏ  Ｓｅｒｖｉｃｅ、以下ＧＰＲＳと略称）／高速リンクパケットアクセス技術（Ｈｉｇｈ  Ｓｐｅｅｄ  Ｐａｃｋｅｔ  Ａｃｃｅｓｓ、以下ＨＳＰＡと略称）から長期進化型（Ｌｏｎｇ  Ｔｅｒｍ  Ｅｖｏｌｕｔｉｏｎ、以下ＬＴＥと略称）システムに発展した。ＬＴＥは、高帯域幅の無線アクセスネットワークを提供して、各種の移動アプリケーションをよりよく支援しているが、ある程度のリスクも存在し、その中の最も大きいのがＶＯＩＰ（Ｖｏｉｃｅ  ｏｖｅｒ  Ｉｎｔｅｒｎｅｔ  Ｐｒｏｔｏｃｏｌ）からのリスクである。
【０００３】
ＬＴＥは、ＩＰマルチメディアシステム（ＩＰ  Ｍｕｌｔｉｍｅｄｉａ  Ｓｕｂｓｙｓｔｅｍ、以下ＩＭＳと略称）に基づくインターネットプロトコル（Ｉｎｔｅｒｎｅｔ  Ｐｒｏｔｏｃｏｌ、以下ＩＰと略称）構造で、パケット交換ドメイン（Ｐａｃｋｅｔ  Ｓｗｉｔｃｈｉｎｇ、以下ＰＳと略称）に基づく音声を実現することができるが、既存の回線交換ドメイン（Ｃｉｒｃｕｉｔ  Ｓｗｉｔｃｈｉｎｇ、以下ＣＳと略称）音声サービスに比べ、ＰＳドメインの音声サービスは、呼切断率が高く、通話遅延が長く、安全性が劣る等のデメリットを有していて、既存のＣＳドメイン音声と同一の通話サービスを感じることができない。第３世代パートナーシップ・プロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、以下３ＧＰＰと略称)分野の共同努力によって、２Ｇ又は３Ｇの回線ドメイン音声（ＣＳ  ｆａｌｌ  ｂａｃｋ、以下ＣＳＦＢと略称）は回線交換ネットワークから全ＩＰへ発展する過程の重要な一環である。即ち、ユーザがＬＴＥネットワークに常駐し、ユーザが音声電話をかけたり受けたりする場合、ユーザ機器（Ｕｓｅｒ  Ｅｘｐｅｒｉｅｎｃｅ  、以下ＵＥと略称）によるアクセスはＬＴＥから２Ｇ／３Ｇネットワークに切り換えされ、２Ｇ／３ＧのＣＳドメインを介して音声サービスを実現する。
【０００４】
また、４Ｇ  ＬＴＥネットワークであっても、ユーザが音声電話をかけたり受けたりする場合には既存のＣＳドメイン音声サービスを利用しなければならないので、既存のＣＳドメイン音声サービスは継続して発展しなければならない。同時に、音声サービスとデータサービスの高速発展に伴って、Ｒ９９  ＣＳ音声サービスのシステム容量を増加させなければならず、又はＲ９９ユーザ数量が同一である条件で、一層高度のデータサービスを支援しなければならない。
【０００５】
プロトコルによると、既存のＲ９９  ＣＳ１２.２ｋ音声サービスは、ＡＭＲ符号化、２０ｍｓの伝送時間間隔ＴＴＩ（Ｔｒａｎｓｍｉｔ  Ｔｉｍｅ  Ｉｎｔｅｒｖａｌ）、１／３畳み込み符号化、一定のレートに設定される。各会社は既存のＲ９９  ＣＳ１２.２k音声サービスの模擬を経て、ＵＥが一つのＴＴＩのデータ全体を受信していないまま復号化に成功できることを発見した。図１は関連技術に係わる下り復号化早期停止の正確率を示す図で、図１における横軸は復号化時間（ｍｓ）を表し、縦軸は復号化正確率を表し、図１に示すように、２０ｍｓＴＴＩのデータの場合、１２〜１８ｍｓにおいて復号化に基本的に成功していて、つまり、復号化に成功した後のデータは不要なものである。このような不要な送信電力を低下し、干渉を低減するために、当該分野でＲ９９サービスの復号化早期停止メカニズムを提示した。
【０００６】
いわゆる復号化早期停止メカニズムは、上りの場合、各ＴＴＩ内において、基地局（ｎｏｄｅＢ）が一定時間毎に専用物理データチャネル（Ｄｅｄｉｃａｔｅｄ  Ｐｈｙｓｉｃａｌ  Ｄａｔａ  Ｃｈａｎｎｅｌ、以下ＤＰＤＣＨと略称）に復号化を行って、復号化結果をＵＥにフィードバックし、復号化に成功した後、ＵＥが該ＴＴＩ  ＤＰＤＣＨの送信を停止し、次のＴＴＩになってから送信を再び開始し、一方、下りの場合、各ＴＴＩ内において、ＵＥが一定時間毎に専用物理チャネル（Ｄｅｄｉｃａｔｅｄ  Ｐｈｙｓｉｃａｌ  Ｃｈａｎｎｅｌ、以下ＤＰＣＨと略称）に復号化を行って、復号化結果をｎｏｄｅＢにフィードバックし、復号化に成功した後、ｎｏｄｅＢが該ＴＴＩ  ＤＰＤＣＨの送信を停止し、次のＴＴＩになってから送信を再び開始し、上り下りのＤＰＤＣＨがいずれも復号化に成功した後、ＵＥとｎｏｄｅＢは同時に、該ＴＴＩ  ＤＰＣＣＨの送信を停止し、次のＴＴＩになってから再び送信を開始する。従って、復号化早期停止を実現しようとする場合、上りの場合は、ｎｏｄｅＢが伝送フォーマット組合せインジケーター（Ｔｒａｎｓｐｏｒｔ  Ｆｏｒｍａｔ  Ｃｏｍｂｉｎａｔｉｏｎ  Ｉｎｄｉｃａｔｏｒ、以下ＴＦＣＩと略称）を早めに把握すると共に、ｎｏｄｅＢに下りの復号化結果をフィードバックすることでｎｏｄｅＢに該ＴＴＩ  ＤＰＤＣＨの送信の停止を通知することができる二つの条件を満たさなければならない。
【０００７】
既存のＲ９９サービスにおいて、上りはＤＰＣＣＨとＤＰＤＣＨの二つのチャネルのみがあって、ＤＰＣＣＨはＰＩＬＯＴ（パイロット）、ＴＦＣＩ、送信電力制御（Ｔｒａｎｓｍｉｓｓｉｏｎ  Ｐｏｗｅｒ  Ｃｏｎｔｒｏｌ、以下ＴＰＣと略称）等の制御情報の伝送に用いられ、ＤＰＤＣＨはデータ情報（下り復号化結果のフィードバック情報は含まない）の伝送に用いられる。その中、ＴＦＣＩの初期ビットは１０ｂｉｔで、[３２、１０]の符号化を経て、前の３０ｂｉｔを取ってＤＰＣＣＨの１５個のｓｌｏｔに均一に分布し、一方、ｎｏｄｅＢはＴＦＣＩの復号化結果を得るには少なくとも１０ｍｓ時間が必要である。図２は関連技術に係わる上り復号化早期停止の正確率を示す図で、図２中の横軸は復号化時間（ｍｓ）を表し、縦軸は復号化の正確率を表し、図２に示すように、ｎｏｄｅＢは６ｍｓ程度から復号化し始め、このように、既存のＴＦＣＩ設計によると、復号化早期停止の要求を満たすことができない。従って、ＵＥとｎｏｄｅＢの復号化早期停止効果が劣化する。
関連技術において復号化早期停止時に基地局側がＴＦＣＩを即時に得られず、端末側は下り復号化結果を即時にフィードバックできない問題について、未だに有効な解決案が提示されていない。
【発明の概要】
【発明が解決しようとする課題】
【０００８】
関連技術において復号化早期停止時に基地局側がＴＦＣＩを即時に得られず、端末側は下り復号化結果を即時にフィードバックできない問題に鑑みて、本発明の実施例は、上記問題を解決できる復号化早期停止のフィードバック方法、装置及びシステムを提供することをその目的とする。
【課題を解決するための手段】
【０００９】
本発明の実施例の一態様によると、端末側が符号化後のＴＦＣＩビットを調整し、ＤＰＣＣＨのＴＦＣＩドメインを介して、調整後のＴＦＣＩビットを基地局側に送信し、上記端末側が、調整後のＴＦＣＩビットを基地局側に送信した後、下りＤＰＣＨに復号化操作を行って、復号化結果を上りＤＰＣＣＨの空きのＴＦＣＩドメインを介して上記基地局側にフィードバックするステップを備える復号化早期停止のフィードバック方法を提供する。
【００１０】
さらに、上記端末側が符号化後の上記ＴＦＣＩビットを調整することが、上記端末側がＴＦＣＩの初期ビットに減少操作を実行すること、及び／又は、上記端末側が高ビットレート符号化方式でＴＦＣＩの初期ビットに符号化を行うことを備える。
【００１１】
さらに、上りＤＰＣＣＨのＴＦＣＩドメインを介して調整後のＴＦＣＩビットを上記基地局側に送信する前に、上記方法が、上記端末側が上記ＴＦＣＩドメインの上記上りＤＰＣＣＨで占める比例を増加させることをさらに備える。
【００１２】
さらに、上記方法は、上記端末側が、上記上りＤＰＣＣＨの上記ＴＦＣＩドメインの送信電力を増加させることをさらに備える。
【００１３】
本発明の実施例の他の一態様によると、基地局側が、端末側から送信された、上記端末側がビット減少操作を行った後に得られたＴＦＣＩビットである符号化後のＴＦＣＩビットを受信し、上記基地局側が、受信した上記ＴＦＣＩビットに復号化操作を行い、上記復号化操作の復号化結果に基づいて、上りＤＰＤＣＨに復号化操作を行って、該復号化操作の復号化結果を上記端末側にフィードバックするステップを備える復号化早期停止のフィードバック方法を提供する。
【００１４】
上記端末側が上記ビット減少操作を実行することが、上記端末側が、上記ＴＦＣＩの初期ビットに上記ビット減少操作を実行すること、及び／又は、上記端末側が、高ビットレート符号化方式で上記ＴＦＣＩの初期ビットに符号化を行うことを備える。
【００１５】
本発明の実施例の他の一態様によると、端末側に適用される装置であって、符号化後のＴＦＣＩビットを調整し、上りＤＰＣＣＨのＴＦＣＩドメインを介して、調整後のＴＦＣＩビットを基地局側に送信するように構成された調整モジュールと、調整後のＴＦＣＩビットを基地局側に送信した後、下りＤＰＣＨに復号化操作を行って、復号化結果を上りＤＰＣＣＨの空きのＴＦＣＩドメインを介して、上記基地局側にフィードバックするように構成されたフィードバックモジュールと、を備える復号化早期停止のフィードバック装置を提供する。
【００１６】
上記調整モジュールが、ＴＦＣＩの初期ビットに減少操作を実行するように構成された減少ユニット、及び／又は、上記端末側が高ビットレート符号化方式でＴＦＣＩの初期ビットに符号化を行うように構成された符号化ユニットを備えることができる。
【００１７】
本発明の実施例の他の一態様によると、基地局側に適用される装置であって、端末側から送信された、上記端末側がビット減少操作を行った後に得られたＴＦＣＩビットである符号化後のＴＦＣＩビットを受信するように構成された受信モジュールと、受信した上記ＴＦＣＩビットに復号化操作を行うように構成された復号化操作モジュールと、上記復号化操作の復号化結果に基づいて、上りＤＰＤＣＨに復号化操作を行って、該復号化操作の復号化結果を上記端末側にフィードバックするように構成された復号化フィードバックモジュールと、を備える復号化早期停止のフィードバック装置を提供する。
【００１８】
本発明の実施例の他の一態様によると、上記の端末側に適用される復号化早期停止のフィードバック装置と、上記の基地局側に適用される復号化早期停止のフィードバック装置と、を備える復号化早期停止のフィードバックシステムを提供する。
【発明の効果】
【００１９】
本発明の実施例によると、端末側が符号化後のＴＦＣＩビットを調整し、ＤＰＣＣＨのＴＦＣＩドメインを介して調整後のＴＦＣＩビットを基地局側に送信し、その後、下りＤＰＣＨに復号化操作を行った後、復号化結果を上りＤＰＣＣＨの空きのＴＦＣＩドメインを介して基地局側にフィードバックすることによって、関連技術において復号化早期停止時に基地局側がＴＦＣＩを即時に得られず、端末側は下り復号化結果を即時にフィードバックできない問題を解決し、新しいコードルートを増加せずに、ＤＰＣＣＨのＴＦＣＩドメインを十分に利用し、端末の送信電力を節約し、同時に、端末と基地局の復号化早期停止の試み回数を減少し、復号化リソースを節約できる。
【図面の簡単な説明】
【００２０】
【図１】図１は、関連技術に係わる下り復号化早期停止の正確率を示す図である。
【図２】図２は、関連技術に係わる上り復号化早期停止の正確率を示す図である。
【図３】図３は、本発明の実施例に係わる端末側の復号化早期停止のフィードバック方法を示すフローチャートである。
【図４】図４は、本発明の実施例に係わる基地局側の復号化早期停止のフィードバック方法を示すフローチャートである。
【図５】図５は、本発明の実施例に係わる新しいＤＰＣＣＨフレーム構造を示す図である。
【図６】図６は、本発明の実施例に係わるAWGNチャネル条件で、パイロットが５ｂｉｔと６ｂｉｔを用いる場合の性能差異を示す図である。
【図７】図７は、本発明の実施例に係わるPA３チャネル条件で、パイロットが５ｂｉｔと６ｂｉｔを用いる場合の性能差異を示す図である。
【図８】図８は、本発明の実施例に係わるＴＦＣＩが[３２，１０]によって符号化される場合と、[２０，７]によって符号化される場合の性能差異を示す図である。
【図９】図９は、本発明の実施例に係わる空きＴＦＣＩドメインを用いて下り復号化結果のフィードバックを行う際の正確性を示す図である。
【図１０】図１０は、本発明の実施例に係わる端末側に設けられた復号化早期停止のフィードバック装置の構造を示すブロック図である。
【図１１】図１１は、本発明の実施例に係わる基地局側に設けられる復号化早期停止のフィードバック装置の構造を示すブロック図である。
【図１２】図１２は、本発明の実施例に係わる復号化早期停止のフィードバックシステムの構造を示すブロック図である。
【発明を実施するための形態】
【００２１】
関連技術において端末側と基地局側の復号化早期停止効果が悪い問題を解決するため、本発明の実施例によると、復号化早期停止フィードバック方法、装置及びシステムが提供される。以下、図面と実施例を結合して、本発明をさらに詳しく説明する。ここで、以下で説明する具体的な実施例は本発明を理解するものであり、本発明を限定するものではない。
【００２２】
本実施例によると、復号化早期停止のフィードバック方法を提供し、該方法は端末側で実現することができ、図３は本発明の実施例に係わる端末側の復号化早期停止のフィードバック方法を示すフローチャートであり、図３に示すように、該方法は以下のステップを含む（ステップＳ３０２〜ステップＳ３０４）。
端末側が、符号化後のＴＦＣＩビットを調整し、上りＤＰＣＣＨのＴＦＣＩドメインを介して、調整後のＴＦＣＩビットを基地局側に送信する（ステップＳ３０２）。
端末側が、調整後のＴＦＣＩビットを基地局側に送信した後、下りＤＰＣＨに復号化操作を行って、復号化結果を上りＤＰＣＣＨの空きのＴＦＣＩドメインを介して、基地局側にフィードバックする（ステップＳ３０４）。
【００２３】
上記方法によると、端末側が符号化後のＴＦＣＩビットを調整し、ＤＰＣＣＨのＴＦＣＩドメインを介して、調整後のＴＦＣＩビットを基地局側に送信し、その後、下りＤＰＣＨに復号化操作を行った後、復号化結果を上りＤＰＣＣＨの空きのＴＦＣＩドメインを介して基地局側にフィードバックすることによって、関連技術において復号化早期停止時に基地局側がＴＦＣＩを即時に得られず、端末側は下り復号化結果を即時にフィードバックできない問題を解決し、新しいコードルートを増加せずに、ＤＰＣＣＨのＴＦＣＩドメインを十分に利用し、端末の送信電力を節約し、同時に、端末と基地局の復号化早期停止の試み回数を減少し、復号化リソースを節約できる。
【００２４】
Ｒ９９サービスの場合、現在の実際のサービス中のＴＦＣＩの組合せは１０２４種類よりずっと少ないので、３ＧＰＰプロトコルに規定された１０ｂｉｔ  ＴＦＣＩは多すぎで、これにより、ＴＦＣＩのビットを調節することでＴＦＣＩのビット数を減少する目的を実現し、初めて復号化早期停止を試みる前にＴＦＣＩの伝送を終了させることができる。これに基づいて、本実施例において、好適な実施形態として、端末側がＴＦＣＩビットに調整を行うことが、端末側がＴＦＣＩの初期ビットに減少操作を行うこと、及び／又は、端末側が高ビットレート符号化方式でＴＦＣＩの初期ビットに符号化を行うことを含む。
【００２５】
上記好適な実施形態によると、ＴＦＣＩの初期ビット数を減少し、同一ビットレートの符号化方式で、符号化後のＴＦＣＩのビット数を減少させる目的を実現でき、又は、ＴＦＣＩの初期ビット数に調整を行わず、高ビットレートの符号化方式でＴＦＣＩに符号化を行うと、該符号化操作後に得られたＴＦＣＩのビットの数量が通常の符号化操作後に得られるＴＦＣＩのビットの数量よりも少ないので、符号化後のＴＦＣＩのビット数を減少させる目的を実現でき、又は、ＴＦＣＩの初期ビット数を減少させ、高ビットレートの符号化方式でＴＦＣＩに符号化を行って、符号化後のＴＦＣＩのビット数を減少させる目的を実現することができる。
【００２６】
基地局側がＴＦＣＩをさらに早く取得し、基地局によるＴＦＣＩ復号化及び端末による下り復号化結果のフィードバックの正確率を向上させるために、上記方法は、端末側がＴＦＣＩドメインの上りＤＰＣＣＨで占める比例を増加し、端末側が上りＤＰＣＣＨの上記ＴＦＣＩドメインの送信電力を高めることをさらに含む。
【００２７】
上記実施例で説明した端末側の復号化早期停止のフィードバック方法に対応して、本実施例において復号化早期停止のフィードバック方法を提供し、該方法は基地局側で実現することができる。図４は本発明の実施例に係わる基地局側の復号化早期停止のフィードバック方法を示すフローチャートであり、図４に示すように、該方法は以下のステップを含む（ステップＳ４０２〜ステップＳ４０６）：
基地局側が、端末側から送信された符号化後のＴＦＣＩビットを受信し（ステップＳ４０２）、ここで、上記符号化後のＴＦＣＩビットは上記端末側がビット減少操作を行った後に得られるＴＦＣＩビットであって、
基地局側が、受信したＴＦＣＩビットに復号化操作を実行し（ステップＳ４０４）、
上記復号化操作の復号化結果に基づいて、上りＤＰＤＣＨに復号化操作を行って、該復号化操作の復号化結果を端末側にフィードバックする（ステップＳ４０６）。
【００２８】
上記方法によると、基地局側が端末側が調整した後のＴＦＣＩビットを受信した後、復号化操作を行い、ＴＦＣＩの復号化結果に基づいて、上りＤＰＤＣＨに復号化操作を行って、最後に、復号化結果を端末側にフィードバックすることによって、関連技術において復号化早期停止時に基地局側がＴＦＣＩを即時に得られない問題を解決して、新しいコードルートを増加せずに、ＤＰＣＣＨのＴＦＣＩドメインを十分に利用し、端末の送信電力を節約し、同時に、基地局側が端末側によるＴＦＣＩの送信を終了した後に上りＤＰＤＣＨに対する復号化を開始し、基地局の復号化早期停止の試み回数を減少し、復号化リソースを節約できる。
【００２９】
端末側で実行するビット減少操作について、本実施例において、好適な実施形態として、端末側がビット減少操作を実行することが、端末側がＴＦＣＩの初期ビットにビット減少操作を実行すること、及び／又は、端末側が高ビットレート符号化方式でＴＦＣＩの初期ビットに符号化を実行することを含む。上述において端末側でＴＦＣＩのビットの数量を減少させる操作について詳しく説明したので、ここでは説明を省略する。
【００３０】
本実施例において、ＴＦＣＩのビットの数量を減少させることによって、初めて復号化早期停止を試みる前にＴＦＣＩの伝送を終了し、また、ＤＰＣＣＨの後ろの幾つかのスロット（ｓｌｏｔ）の空きＴＦＣＩドメインを下り復号化早期停止の結果のフィードバックに用いる。具体的には以下のように実現される：
第１、一つのＴＴＩにおいて、ＵＥが符号化後のＴＦＣＩビットを減少させ（即ち、符号化後のＴＦＣＩビットの数量の減少に相当）、ＤＰＣＣＨのＴＦＣＩドメインを介してＴＦＣＩビットを送信し、その送信を１フレーム内で完成する。
第２、ＮｏｄｅＢが、ＴＦＣＩ符号化後のビットを全て受信した後、ＴＦＣＩに復号化を開始し、ＴＦＣＩの復号化結果に基づいて、上りＤＰＤＣＨに復号化を行う。
第３、ＵＥが、ＴＦＣＩ符号化後のビットの送信を終了した後、下りＤＰＣＨに復号化を開始し、該ＴＴＩの後の各ｓｌｏｔにおけるＤＰＣＣＨ空きのＴＦＣＩドメインを下り復号化の結果のフィードバックに用いる。
【００３１】
上記実現方法によると、上りに新規のコードルートを追加する必要がなく、ＵＥの送信電力を節約し、同時に、ｎｏｄｅＢにとって、復号化早期停止の試み回数を減少し、ＴＦＣＩを復号化してから復号化を試みることができ、復号化リソースを節約できる。
【００３２】
以下、好適な実施例で、上記復号化早期停止のフィードバックの方法を説明するが、一つのＴＴＩにおいて、端末がＴＦＣＩの初期ビットの数量を減少し、新しい符号化方式で符号化後のＴＦＣＩビットの数量を減少し、現在の実際のサービス中のＴＦＣＩの組合せは最高で１２７種類であって、つまり、ＴＦＣＩは７ｂｉｔだけで十分である。ＴＦＣＩ符号化を元の[３２，１０]から[２０，７]に変更し、ＤＰＣＣＨの拡張子ＳＦ＝２５６は変わらず、ＤＰＣＣＨの各ｓｌｏｔ中のＴＦＣＩドメインの占める割合を増加し、即ち、ＤＰＣＣＨのｓｌｏｔｆｏｒｍａｔ（スロットフォーマット）を既存の[６  ２  ０  ２]から[５  ３  ０  ２]に変更し、一つのｓｌｏｔの１０ビット符号においてＰｉｌｏｔが５ビットを占め、ＴＦＣＩが３ビットを占め、ＦＢＩが０ビットを占め、ＴＰＣが２ビットを占め、これにより、２０ｂｉｔのＴＦＣＩ符号を七つのｓｌｏｔさえあれば送信を完了することができる。
【００３３】
ＮｏｄｅＢは、ＴＦＣＩ符号化後のビットを全て受信した後、ＴＦＣＩに復号化を開始し、ＴＦＣＩの復号化結果に基づいて、上りＤＰＤＣＨに復号化操作を行う。
【００３４】
端末はＴＦＣＩビットの送信を終了した後、下りＤＰＣＨに復号化を開始し、該ＴＴＩの後のＤＰＣＣＨの各ｓｌｏｔ中の空きのＴＦＣＩドメインを下り復号化の結果のフィードバックに用いる。復号化早期停止のフィードバック結果を表１に示す符号化方式で行う。
【表１】
0006320421.tif 000002
【００３５】
ここで、ＴＦＣＩに用いられる[２０，７]の符号化方式は、プロトコル２５.２１２中の単一キャリアＭＩＭＯ  ＣＱＩ  ＴｙｐｅＢの符号化方式と同じで、入力が
0006320421.tif 000003
であるとすると、出力は
0006320421.tif 000004
であって、
0006320421.tif 000005
であり、Ｍの値は表２に示すとおりである。
【表２】
0006320421.tif 000006
【００３６】
図５は、本発明の実施例に係わる新しいＤＰＣＣＨフレーム構造を示す図であり、図５に示すように、ＤＰＣＣＨのｓｌｏｔformat=[５  ３  ０  ３]、一つのｓｌｏｔの１０ビット符号においてパイロット（Ｐｉｌｏｔ）が５ビットを占め、ＴＦＣＩが３ビットを占め、FBIが０ビットを占め、ＴＰＣが２ビットを占めることを表す。２０ｍｓＴＴＩの場合、前の七つのｓｌｏｔのＴＦＣＩドメインはＴＦＣＩの伝送に用いられ、後ろの幾つかのｓｌｏｔのＴＦＣＩドメインは下り復号化結果のフィードバックに用いられる。従って、七つのｓｌｏｔさえあればｎｏｄｅＢが上りＴＦＣＩを得ることができ、端末は下りの復号化結果のフィードバックを開始することができ、つまり、４.６７ｍｓの上り下りさえあれば、それぞれ復号化早期停止を試みることができる。図１と図２に示すように、Ｒ９９  １２.２K  ＣＳ音声サービスの場合、上りであれ下りであれ、６ｍｓ前の復号化早期停止の正確率は０に近い。従って、本発明の技術案によると、上りに新しいコードルートを追加してＴＦＣＩを伝送する必要がなく、ＵＥの送信電力を節約できると共に、ｎｏｄｅＢとＵＥも復号化早期停止の試み回数を減少でき、七つのｓｌｏｔの後、即ち、復号化早期停止の正確率が高くなった後に復号化を試みることができ、復号化リソースを節約できる。
【００３７】
図６は本発明の実施例に係わるAWGNチャネル条件でパイロットが５ｂｉｔと６ｂｉｔを用いる場合の性能差異を示す図であって、図７は本発明の実施例に係わるPA３チャネル条件でパイロットが５ｂｉｔと６ｂｉｔを用いる場合の性能差異を示す図であり、図６と図７に示すように、パイロットが５ｂｉｔを用いる場合、パイロットが６ｂｉｔを用いる場合に比べ、ＤＰＤＣＨに対する復号化性能には影響を与えていないので、ＤＰＣＣＨは[５  ３  ０  ２]のｓｌｏｔformatを用いることができる。
【００３８】
図８は本発明の実施例に係わるＴＦＣＩが[３２，１０]によって符号化される場合と[２０，７]によって符号化される場合の性能差異を示す図であり、図９は本発明の実施例に係わる空きＴＦＣＩドメインを用いて下り復号化結果のフィードバックを行う際の正確性を示す図であって、図８と図９に示すように、ＴＦＣＩが[２０，７]の符号化方式を用いる場合と[３２，１０]の符号化方式を用いる場合との差異は０.５dBで、下り復号化結果のフィードバックは、ＴＦＣＩ[３２，１０]の復号化性能に比べ１.２dB程度の差異があるので、新しく設計したＴＦＣＩの正確性及び下り復号化結果のフィードバックの正確性を保証するために、ＤＰＣＣＨチャネルＴＦＣＩドメイン（確認応答（Acknowledgement、以下ACKと略称）／否定応答（Negative  Acknowledgement、以下NACKと略称）ドメイン）の送信電力を増大し、他のドメインの送信電力をそのまま保持することができる。実際の操作において、増大すべき電力値は模擬結果又は測定経験値に基づいて決定することができる。
【００３９】
上記実施例で説明した端末側に応用される復号化早期停止のフィードバック方法に対応して、本実施例において復号化早期停止のフィードバック装置を提供し、該装置は端末側に設けられて上記実施例を実現する。図１０は本発明の実施例に係わる端末側に設けられる復号化早期停止のフィードバック装置の構造を示すブロック図であり、図１０に示すように、該装置は、調整モジュール１０と、フィードバックモジュール２０と、を含み、以下詳しく説明する。
調整モジュール１０は、符号化後のＴＦＣＩビットを調整し、上りＤＰＣＣＨのＴＦＣＩドメインを介して調整後のＴＦＣＩビットを基地局側に送信するように構成され、
フィードバックモジュール２０は、調整モジュール１０に接続されて、調整後のＴＦＣＩビットを基地局側に送信した後、下りＤＰＣＨに復号化操作を行って、復号化結果を上りＤＰＣＣＨの空きのＴＦＣＩドメインを介して上記基地局側にフィードバックするように構成される。
【００４０】
上記装置によると、端末側が符号化後のＴＦＣＩビットを調整し、ＤＰＣＣＨのＴＦＣＩドメインを介して調整後のＴＦＣＩビットを基地局側に送信し、その後、下りＤＰＣＨに復号化操作を行った後、復号化結果を上りＤＰＣＣＨの空きのＴＦＣＩドメインを介して基地局側にフィードバックすることによって、関連技術において復号化早期停止時に基地局側がＴＦＣＩを即時に得られず、端末側は下り復号化結果を即時にフィードバックできない問題を解決し、新しいコードルートを増加せずに、ＤＰＣＣＨのＴＦＣＩドメインを十分に利用し、端末の送信電力を節約し、同時に、端末と基地局の復号化早期停止の試み回数を減少し、復号化リソースを節約できる。
【００４１】
ＴＦＣＩビットに対する調整モジュール１０の調整操作については、本実施例において、上記調整操作を実現するための好適な構造を提供する。具体的には、上記調整モジュール１０は、ＴＦＣＩの初期ビットに減少操作を実行するように構成された減少ユニット、及び／又は、上記端末側が高ビットレート符号化方式でＴＦＣＩの初期ビットに符号化を行うように構成された符号化ユニットを含む。
【００４２】
基地局側がＴＦＣＩをさらに早く取得し、基地局によるＴＦＣＩ復号化及び端末による下り復号化結果のフィードバックの正確率を向上させるために、上記方法は、端末側がＴＦＣＩドメインの上りＤＰＣＣＨで占める比例を増加し、端末側が上りＤＰＣＣＨの上記ＴＦＣＩドメインの送信電力を増大させることをさらに含む。
【００４３】
上記実施例で説明した基地局側に応用される復号化早期停止のフィードバック方法に対応して、本実施例において復号化早期停止のフィードバック装置を提供し、該装置は基地局側に設けられて上記実施例を実現する。図１１は本発明の実施例に係わる基地局側に設けられる復号化早期停止のフィードバック装置の構造を示すブロック図であり、図１１に示すように、該装置は、受信モジュール３０と、復号化操作モジュール４０と、復号化フィードバックモジュール５０と、を含む。以下、詳しく説明する。
受信モジュール３０は、端末側から送信された符号化後のＴＦＣＩビット数を受信するように構成され、ここで、上記符号化後のＴＦＣＩビットは上記端末側がビット減少操作を実行した後に得たＴＦＣＩビットであって、
復号化操作モジュール４０は、ビット数受信モジュール３０に接続されて、受信した上記ＴＦＣＩビットに復号化操作を行うように構成され、
復号化フィードバックモジュール５０は、復号化操作モジュール４０に接続されて、上記ＴＦＣＩ復号化操作の復号化結果に基づいて、上り専用物理データチャネルＤＰＤＣＨに復号化操作を行って、該復号化操作の復号化結果を上記端末側にフィードバックするように構成される。
【００４４】
上記装置によると、基地局側が端末側による調整後のＴＦＣＩビットを受信した後、一連の復号化操作を行って、最後に上りＤＰＤＣＨの復号化結果を端末側にフィードバックすることによって、関連技術において復号化早期停止時に基地局側がＴＦＣＩを即時に得られない問題を解決し、新しいコードルートを増加せずに、ＤＰＣＣＨのＴＦＣＩドメインを十分に利用し、端末の送信電力を節約し、同時に、基地局側は端末側がＴＦＣＩの送信を終了した後に上りＤＰＤＣＨに復号化を開始し、基地局の復号化早期停止の試み回数を減少し、復号化リソースを節約できる。
【００４５】
上記実施例で説明した端末側に応用される復号化早期停止のフィードバック装置及び基地局側に応用される復号化早期停止のフィードバック装置に対応して、本実施例において復号化早期停止のフィードバックシステムを提供し、図１２は復号化早期停止のフィードバックシステムの構造を示すブロック図であり、該システムは上記実施例で説明した端末側に応用される復号化早期停止のフィードバック装置と、上記実施例で説明した基地局側に応用される復号化早期停止のフィードバック装置と、を含む。
【００４６】
関連技術において、通常の復号化方法は、端末のＴＦＣＩ符号化後に３０ビット（ｂｉｔ）があって、ＤＰＣＣＨの１フレーム（１０ｍｓ）の１５個のｓｌｏｔに分布され、各ｓｌｏｔ  は２ｂｉｔであって、基地局は２０ｍｓＴＴＩ間隔で、ＴＦＣＩの復号化結果に基づいて、上りＤＰＤＣＨに復号化を行って、復号化結果をフィードバックする必要がない。２０ｍｓ内に基地局は端末のＴＦＣＩを全部受信することができる。端末は、２０ｍｓＴＴＩ間隔で下りＤＰＣＨに復号化を行い、復号化結果をフィードバックする必要がない。
【００４７】
復号化早期停止の基本的なプロセスは以下の通りである：基地局が予め上りＤＰＤＣＨに復号化を行って、例えば七つのｓｌｏｔ、復号化結果をフィードバックし、この時、通常のフィードバックの方法では、ＴＦＣＩを得ることができず、端末も予め下りＤＰＣＨに復号化を行って、復号化結果をフィードバックしなければならない。
【００４８】
本発明の実施例において、端末は符号化後のＴＦＣＩを減少し、例えば２１ｂｉｔまでに減少し、ＴＦＣＩドメインが占める比例を増大し、例えば元の各ｓｌｏｔの２ｂｉｔから３ｂｉｔに変更し、これにより、七つのｓｌｏｔだけで基地局はＴＦＣＩを得ることができ、この時、基地局は上りＤＰＤＣＨに復号化を行って復号化結果をフィードバックすることができる。端末が任意の時間内（第１個又は第２個のｓｌｏｔから）で下りＤＰＣＨに復号化を行うことが可能であるが、端末が復号化結果をフィードバックしなければならないので、ＤＰＣＣＨの空きのＴＦＣＩドメインでフィードバックすることができることで、減少されたＴＦＣＩの送信を終了してから、例えば第８個のｓｌｏｔの復号化を行うことができる。
【００４９】
上述のように、本発明の実施例によると、ハードウェアとソフトウェアの複雑さを増加させずに、ＤＰＣＣＨのＴＦＣＩドメインを十分に利用し、新しいコードルートを増加する必要がなく、ＵＥの送信電力を節約し、且つ、端末とｎｏｄｅＢの復号化早期停止の試み回数を減少し、復号化リソースを節約できる。
【００５０】
説明のために本発明の好適な実施例を示しているが、当業者であれば、各種の改善、追加、入れ替えを行うことができるので、本発明の範囲は上記実施例に限定されない。
【産業上の利用可能性】
【００５１】
本発明の実施例の技術案を移動通信分野に応用することができ、関連技術において復号化早期停止時に基地局側がＴＦＣＩを即時に得られず、端末側は下り復号化結果を即時にフィードバックできない問題を解決し、新しいコードルートを増加せずに、ＤＰＣＣＨのＴＦＣＩドメインを十分に利用し、端末の送信電力を節約し、同時に、端末と基地局の復号化早期停止の試み回数を減少し、復号化リソースを節約できる。
【図１】
0006320421.tif 000007
【図２】
0006320421.tif 000008
【図３】
0006320421.tif 000009
【図４】
0006320421.tif 000010
【図５】
0006320421.tif 000011
【図６】
0006320421.tif 000012
【図７】
0006320421.tif 000013
【図８】
0006320421.tif 000014
【図９】
0006320421.tif 000015
【図１０】
0006320421.tif 000016
【図１１】
0006320421.tif 000017
【図１２】
0006320421.tif 000018